(57)【要約】      （修正有）【課題】エネルギサブトラクション撮影と、一般撮影と、長尺撮影とを、可撓性を有する共通の放射線検出器で撮影できる放射線撮影装置を提供する。【解決手段】可撓性を有し、被写体を透過した放射線を電気信号に変換して検出する撮影領域が設けられた放射線検出部を有する放射線検出器２００ａと、被写体を透過した放射線が入射する放射線入射面１０２が設けられるとともに放射線検出器２００ａが収容される筺体とを有し、放射線検出器１００ａの放射線検出部は曲げられており、曲げられた部分において複数の撮影領域２１０，２１２に分割されるとともに、分割された複数の撮影領域２１０，２１２は互いに平行に積層する。【選択図】図２
2013253887.tif 000002
【特許請求の範囲】
【請求項１】
可撓性を有し、被写体を透過した放射線を電気信号に変換して検出する撮影領域が設けられた放射線検出部を有する放射線検出器と、
被写体を透過した放射線が入射する放射線入射面が設けられ、前記放射線検出器が収容される筺体と、
を有し、
前記放射線検出器の放射線検出部は曲げられており、曲げられた部分において前記撮影領域が複数に分割されるとともに、分割された複数の撮影領域は互いに平行に積層することを特徴とする放射線撮影装置。
【請求項２】
前記放射線検出部が曲げられた状態で前記放射線検出器を着脱自在に装着できるとともに、前記放射線検出器が装着された状態で前記筺体に着脱自在に収容可能な保持部材をさらに有することを特徴とする請求項１に記載の放射線撮影装置。
【請求項３】
前記保持部材は前記放射線検出器を保護する保護部材を有することを特徴とする請求項２に記載の放射線撮影装置。
【請求項４】
前記保護部材は、前記筺体の前記放射線入射面の側からの平面視において、前記撮影領域の有効撮影領域の外側に位置することを特徴とする請求項３に記載の放射線撮影装置。
【請求項５】
前記筺体は、前記保持部材をガイドするガイド部をさらに有することを特徴とする請求項２から４のいずれか１項に記載の放射線撮影装置。
【請求項６】
前記ガイド部は、前記筺体の前記放射線入射面の側からの平面視において、前記撮影領域の有効撮影領域の外側に位置することを特徴とする請求項５に記載の放射線撮影装置。
【請求項７】
前記放射線検出器は、前記放射線検出部を制御する内部制御部をさらに有するとともに、
前記筺体は、前記内部制御部を放射線から保護する放射線遮蔽部材をさらに有し、
前記筺体の内部には、前記筺体の前記放射線入射面に近い側から順に、前記放射線検出器の前記放射線検出部、前記放射線遮蔽部材、前記内部制御部が配設されることを特徴とする請求項１から６のいずれか１項に記載の放射線撮影装置。
【請求項８】
前記放射線検出器は、少なくとも、
放射線が照射されると発光するシンチレータ層と、シンチレータ層の発光を電気信号に変換する光検出素子が二次元マトリックス状に配列される光検出素子配線層と、基体の層とを有し、
前記光検出素子は、放射線が基体の側とシンチレータ層の側のいずれから入射した場合であっても、放射線を電気信号に変換できることを特徴とする請求項１から７のいずれか１項に記載の放射線撮影装置。
【請求項９】
前記光検出素子配線層には、二次元マトリックス状に配列される前記光検出の各列に駆動のための信号を送信する複数のゲート線が設けられ、
前記放射線検出部は、前記ゲート線のそれぞれが分割された複数の前記撮影領域に跨らないように曲げられることを特徴とする請求項８に記載の放射線撮影装置。
【請求項１０】
前記放射線検出器は、
前記放射線検出部の曲りを検出する曲がりセンサと、
前記曲がりセンサが前記撮影領域の曲がりを検出した場合に、前記曲げられた部分において前記撮影領域を複数に分割し、前記複数に分割された撮影領域のそれぞれから放射線画像を取得する内部制御部と、
をさらに有することを特徴とする請求項８または９に記載の放射線撮影装置。
【請求項１１】
前記筺体は、前記放射線検出器が装着されているかを検出する検出器センサをさらに有し、
前記内部制御部は、前記検出器センサによって前記放射線検出器が装着されていることが検出された場合には、前記複数に分割された撮影領域のそれぞれから放射線画像を取得することを特徴とする請求項１０に記載の放射線撮影装置。
【請求項１２】
前記内部制御部は、分割された複数の撮影領域から放射線画像を取得する場合において、
前記内部制御部は、分割されたある１つの撮影領域に設けられるある１列の前記光検出素子からの信号の読み出しと、分割された他の１つの撮影領域に設けられるある１列の前記光検出素子からの信号の読み出しとを、周期的に行うことを特徴とする請求項１１に記載の放射線撮影装置。
【請求項１３】
前記筺体には、前記筺体の放射線入射面の側からの平面視において、複数に分割された前記撮影領域の有効撮影領域の外側に位置する箇所に、マーカが設けられ、
前記内部制御部は、分割された前記撮影領域のそれぞれから取得した複数の放射線画像に写るマーカを用いて、複数の前記放射線画像の拡大率と角度のずれを検出して補正し、補正した複数の前記放射線画像を用いてサブトラクション処理を行うことを特徴とする請求項１０から１２のいずれか１項に記載の放射線撮影装置。
【請求項１４】
分割されて積層する前記撮影領域どうしの間には、放射線から所定のエネルギ成分を吸収するフィルタが、前記撮影領域に略平行に設けられることを特徴とする請求項１から１３のいずれか１項に記載の放射線撮影装置。
【請求項１５】
前記フィルタは、前記筺体に着脱自在に装着されることを特徴とする請求項１４に記載の放射線撮影装置。
【請求項１６】
請求項１４または１５に記載の放射線撮影装置と、
被写体に放射線を照射する放射線源と、
使用者が操作の指示や撮影条件を入力できる外部コンソールと
前記外部コンソールへの入力に基づいて前記放射線撮影装置と前記放射線源を制御する外部制御部と、
を有し、
前記外部制御部は、撮影条件に適する前記放射線検出器の設定と前記フィルタの仕様との少なくとも１つのデータがあらかじめ登録された最適撮影状態データを有し、撮影指示が入力された場合には、入力された撮影条件が前記最適撮影状態データとを照合し、入力された撮影条件が前記最適撮影状態データと異なる場合には、放射線を照射しないことを特徴とする放射線撮影システム。
【発明の詳細な説明】
【技術分野】
【０００１】
本発明は、放射線撮影装置と放射線撮影システムに関する。特に、本発明は、エネルギサブトラクション撮影と、一般撮影と、長尺撮影とを、共通の可撓性を有する放射線検出器を用いて行うことができる放射線撮影装置と、この放射線撮影装置が適用される放射線撮影システムに関するものである。
【背景技術】
【０００２】
デジタル技術の進歩により、被写体を透過した放射線の強度分布を電気信号に変換して検出し、この電気信号を処理して可視画像としてモニタ等に再生することにより高画質の放射線画像を得る装置が工業用の非破壊検査や医療診断の場で広く利用されている。また、近年の半導体プロセス技術の進歩に伴い、半導体センサを使用して放射線画像を撮影する装置が開発されている。これらのシステムは、従来の感光性フィルムを用いる放射線画像撮影システムと比較して、非常に広いダイナミックレンジを有しており、放射線の露光量の変動に影響されることなく放射線画像を得ることができる実利的な利点を有している。さらに、従来の感光性フィルム方式と異なり、化学処理が要らず、即時的に画像を得ることができる利点もある。
【０００３】
このような放射線画像による医療診断の応用として、エネルギサブトラクション法を用いた放射線画像診断がある。放射線には周波数の低い低エネルギ成分（軟放射線）と周波数の高い高エネルギ成分（硬放射線）が含まれている。低エネルギ成分の放射線は被写体を透過しにくく、高エネルギ成分の放射線は被写体を透過しやすいという特性がある。上述の特性を利用して、放射線検出器に照射される放射線のエネルギ成分が異なる複数枚の放射線画像を取得し、画像処理を行うことで骨部組織や軟部組織を分離又は強調した画像を取得することができる。さらに、ＩＶＲ（Ｉｎｔｅｒｖｅｎｔｉｏｎａｌ  Ｒａｄｉｏｌｏｇｙ）手技時に、被写体に挿入されたカテーテルを分離又は強調した画像も得ることができる。この手法をエネルギサブトラクション（ｅｎｅｒｇｙ‐ｓｕｂｔｒａｃｔｉｏｎ）法またはエネルギ差分法と呼ぶ。
【０００４】
エネルギサブトラクション法を実現するための放射線画像取得方法は大きく分けて２つの方法がある。
１つは放射線発生装置の管電圧を調整し、含まれるエネルギ成分が異なる放射線を２回（複数回）にわたって被写体に曝射することで各放射線画像を取得、差分を行う方法である（特許文献１参照）。このように２回被写体に曝射してエネルギサブトラクション法に用いる放射線画像を取得する手段をツーショットエネルギサブトラクション法と呼ぶ。
もう１つは放射線を１回だけ被写体に曝射し、何らかの方法でエネルギ成分が異なる放射線の放射線画像を２枚（複数枚）取得し、それらを差分する方法である。このように１回だけ被写体に曝射してエネルギサブトラクション法に用いる放射線画像を取得する手段をワンショットエネルギサブトラクション法と呼ぶ。ワンショットエネルギサブトラクション法を実現する方法として、１つの放射線撮影装置の筺体の内部に２つの放射線検出器と各放射線検出器の間に所定のエネルギ成分を吸収する放射線エネルギ分離フィルタを配置する方法がある（特許文献２参照）。さらに、２つの放射線撮影装置を重ねて配置し、それぞれに異なるエネルギ成分の放射線が照射されるような構造にする方法がある（特許文献３参照）。また、２つの放射線検出器を各検出器ユニット内部に有し、各検出器ユニットを回転可能に連結することによって、閉状態でエネルギサブトラクション法に用いる放射線画像を取得、開状態で長尺撮影を行うという応用方法もある（特許文献４参照）。
【０００５】
さらに、デジタル技術や半導体プロセス技術の進歩によって、放射線画像を取得する放射線検出器に可撓性を持たせる技術を利用した放射線撮影装置に関係する提案もされている（特許文献５参照）。放射線検出器に可撓性を持たせることで、可搬性、収納性、耐衝撃性を向上させることができる。このため、あらたな放射線画像取得方法や、新たな構造を提供できると考えられる。
【０００６】
しかしながら、前記先行技術文献に記載の構成は、次のような問題を有する。
特許文献１に開示のような、エネルギ成分が異なる放射線を２回（複数回）にわたって被写体に曝射する構成では、被写体の放射線被曝量が増加する。また、２回の曝射には時間差が生じるため、エネルギサブトラクション法を用いると被写体の動きによってボケやアーチファクト（モーションアーチファクト）が発生する可能性が高い。
また、特許文献２、３、４に開示の構成では、エネルギサブトラクション法に用いる放射線画像を取得するために２つの放射線検出器を使用する必要がある。このため、２つの放射線検出器と、これらを駆動するための電気部品が必要である。したがって、放射線撮影装置のコストが高くなる。また、上述の特許文献３に記載の構成では、２つ放射線検出器間の距離やズレを小さくするための構造が必要である。
特許文献２、４に記載の構成では、１つの放射線撮影装置又は連結された検出器ユニットに２つの放射線検出器と、これらを駆動するための電気部品が搭載される。このため、装置重量や装置厚さを小さくすることが困難である。
さらに、特許文献４に記載の構成では、各検出器ユニットを開状態にすることで長尺撮影を行うことができるが、２つの放射線検出器の隙間を小さくするために複雑な構造が必要である。
【先行技術文献】
【特許文献】
【０００７】
【特許文献１】特開昭５４−２５１８９号公報
【特許文献２】特開２００１−１３３５５４号公報
【特許文献３】特開平５−２３２６０９号公報
【特許文献４】特開２０１１−１３７８０４号公報
【特許文献５】特開２０１０−７８５４２号公報
【発明の概要】
【発明が解決しようとする課題】
【０００８】
本発明の目的は、上述の問題点を解消し、エネルギサブトラクション撮影と、一般撮影と、長尺撮影とを、可撓性を有する共通の放射線検出器で撮影できる放射線撮影装置と放射線撮影システムを提供することである。
【課題を解決するための手段】
【０００９】
前記課題を解決するため、本発明は、可撓性を有し、被写体を透過した放射線を電気信号に変換して検出する撮影領域が設けられた放射線検出部を有する放射線検出器と、被写体を透過した放射線が入射する放射線入射面が設けられ、前記放射線検出器が収容される筺体とを有し、前記放射線検出器の放射線検出部は曲げられており、曲げられた部分において前記撮影領域が複数に分割されるとともに、分割された複数の撮影領域は互いに平行に積層することを特徴とする。
【発明の効果】
【００１０】
本発明によれば、エネルギサブトラクション撮影と、一般撮影と、長尺撮影とを、可撓性を有する共通の放射線検出器を用いて行える放射線撮影装置と放射線撮影システムを提供できる。
【図面の簡単な説明】
【００１１】
【図１】図１は、本発明の第１実施形態にかかる放射線撮影装置の外観斜視図である。
【図２】図２は、本発明の第１実施形態にかかる放射線撮影装置の内部構造を模式的に示す断面図である。
【図３】図３は、本発明の第１実施形態にかかる放射線撮影装置の内部構造を模式的に示す断面図である。
【図４】図４は、本発明の第１実施形態にかかる放射線撮影装置の平面図であり、放射線Ｒが入射する側から見た図である。
【図５】図５は、放射線検出器の断面構造を模式的に示す図であり、図２と同じ側から見た図である。
【図６】図６は、放射線検出器の回路構成の概略を示す模式図である。
【図７】図７は、放射線検出器の放射線検出部を第１の放射線検出器面と第２の放射線検出器面とに分割するための構成を模式的に示す斜視図である。
【図８】図８は、放射線検出器の動作を模式的に示す斜視図である。
【図９】図９は、放射線検出器を筺体に収容する工程を模式的に示す図である。
【図１０】図１０は、放射線検出器を筺体に収容する工程を模式的に示す図である。
【図１１】図１１は、放射線検出器を筺体に収容する工程を模式的に示す図である。
【図１２】図１２は、本発明の第２実施形態にかかる放射線撮影装置の構成を模式的に示す外観斜視図である。
【図１３】図１３は、本発明の第２実施形態にかかる放射線撮影装置の内部構造を模式的に示す図である。
【図１４】図１４は、本発明の第２実施形態にかかる放射線撮影装置の内部構造を模式的に示す図である。
【図１５】図１５は、本発明の第２実施形態にかかる放射線撮影装置に適用される放射線検出器の構成を模式的に示す外観斜視図である。
【図１６】図１６は、放射線検出器を筺体に収容する工程を模式的に示す図である。
【図１７】図１７は、放射線検出器を筺体に収容する工程を模式的に示す図である。
【図１８】図１８は、本発明の第３実施形態にかかる放射線撮影装置の構成を模式的に示す断面図である。
【図１９】図１９は、本発明の第３実施形態にかかる放射線撮影装置に適用される放射線検出器の放射線検出部の構成を模式的に示す断面図である。
【図２０】図２０は、放射線検出器の回路構成を模式的に示す斜視図である。
【図２１】図２１は、本発明の実施形態にかかる放射線撮影システムの構成を模式的に示すブロック図である。
【図２２】図２２は、放射線検出器の撮影領域判定の処理を示すフローチャートである。
【図２３】図２３は、放射線画像を撮影する処理の内容を示すフローチャートである。
【発明を実施するための形態】
【００１２】
本発明を実施するための形態を、図面を参照して詳細に説明する。
（第１実施形態）
図１は、本発明の第１実施形態にかかる放射線撮影装置１００ａの外観斜視図である。図２と図３は、本発明の第１実施形態にかかる放射線撮影装置１００ａの内部構造を模式的に示す断面図である。なお、図２は、図１のＩＩ−ＩＩ線断面図であり、図３は、図２のＩＩＩ−ＩＩＩ線断面図である。図１〜図３においては、放射線撮影装置１００ａは図中の上方から照射される放射線Ｒを検出することができる。図４は、本発明の第１実施形態にかかる放射線撮影装置１００ａの平面図であり、放射線Ｒが入射する側から見た図である。
図１〜図４に示すように放射線撮影装置１００ａは、筺体１０１ａと、フィルタケース１０８ａ（保持部材）と、放射線検出器２００ａと、フィルタ１１０とを有する。放射線検出器２００ａは、フィルタケース１０８ａに着脱自在に装着可能である。フィルタ１１０は、フィルタケース１０８ａに出し入れ自在に収容可能である。
筺体１０１ａは、箱状の構成を有する。筺体１０１ａの内部には、フィルタケース１０８ａを収容可能な空間が形成される。筺体１０１ａには、放射線入射面１０２が設けられる。放射線入射面１０２は、被写体Ｐを透過した放射線Ｒ（外部からの放射線Ｒ）を受ける面である。放射線入射面１０２には、有効撮影領域１１５が設定される。有効撮影領域１１５は、被写体Ｐの検査などに有効に利用できる放射線画像の撮影範囲を示す。
筺体１０１ａの一側には、検出器蓋１１２が、ヒンジ部１１３を介して開閉可能に設けられる。検出器蓋１１２の内側の面には、保護部材１０３ｂが設けられる（図２参照）。保護部材１０３ｂは、放射線検出器２００ａなどが損傷しないように保護する部材であり、弾性変形容易な部材である。
筺体１０１ａの内部には、マーカ１０６と、検出器センサ１０７と、保護部材１０３ａと、着脱ガイド１１４（ガイド部）とが設けられる（図２、図３参照）。マーカ１０６については後述する。検出器センサ１０７は、放射線検出器２００ａが筺体１０１ａの内部に収容されているか否かを検出する。検出器センサ１０７には、公知の各種接触式センサや非接触式センサが適用できる。保護部材１０３ａは、検出器蓋１１２の内側の面に対向する面に設けられる。保護部材１０３ａは、放射線検出器２００ａなどが損傷しないように保護する部材である。着脱ガイド１１４は、フィルタケース１０８ａを筺体１０１ａの内部に出し入れする際のガイド部である。着脱ガイド１１４は、筺体１０１ａの互いに対向する内周面（検出器蓋１１２と保護部材１０３ａが設けられない２つの内周面）に設けられる。着脱ガイド１１４（ガイド部）は、棒状に形成される部材であり、フィルタケース１０８ａと係合可能な構成を有する。そして、フィルタケース１０８ａ（保持部材）は、着脱ガイド１１４に係合した状態で、筺体１０１ａにスライド式に出し入れすることができる。
放射線検出器２００ａは、可撓性を有するシート状または薄板状の構成を有する。放射線検出器２００ａは、放射線検出部２３２と駆動制御部２０１とを有する。放射線検出部２３２は、被写体Ｐを透過した放射線Ｒを電気信号に変換して検出する部分である。放射線検出部２３２には、撮影領域２０６が設けられる。撮影領域２０６は、光検出素子２０７が二次元マトリックス状に配列される領域である（図４参照）。そして放射線検出器２００ａは、撮影領域２０６に照射された放射線Ｒを電気信号に変換して検出することができる領域である。
放射線検出器２００ａが筺体１０１ａの内部に収容された状態では、放射線検出部２３２は２つに分割される。説明の便宜上、分割された放射線検出部２３２のうち、筺体１０１ａの放射線入射面１０２に近い部分を「第１の放射線検出器面２１０」と称し、遠い部分を「第２の放射線検出器面２１２」と称する。
第１の放射線検出器面２１０は、放射線Ｒが入射する第１の放射線入射面２０９を有する。同様に、第２の放射線検出器面２１２は、放射線Ｒが入射する第２の放射線入射面２１１を有する。第１の放射線入射面２０９と第２の放射線入射面２１１は、いずれも筺体１０１ａの放射線入射面１０２の側を向く面である。
さらに、放射線検出部２３２が二つに分割されるため、放射線検出部２３２に設けられる撮影領域２０６も二つに分割される。説明の便宜上、分割された撮影領域２０６のうち、第１の放射線検出器面２１０に含まれる部分を、第１の撮影領域２２３と称し、第２の放射線検出器面２１２に含まれる部分を、第２の撮影領域２２４と称する。
第１の放射線検出器面２１０（第１の撮影領域２２３）と第２の放射線検出器面２１２（第２の撮影領域２２４）とは、筺体１０１ａの放射線入射面１０２に略平行である。さらに、第１の放射線検出器面２１０（第１の撮影領域２２３）と第２の放射線検出器面２１２（第２の撮影領域２２４）とは、所定の距離をおいて離間している。
そして、２つの放射線検出器面２１０，２１２（２つの撮影領域２２３，２２４）は、それぞれ、被写体Ｐを透過した放射線Ｒを電気信号に変換して検出する。
なお、放射線検出器２００ａの構成の詳細については後述する。
フィルタ１１０は、放射線検出器２００ａの第１の放射線検出器面２１０と第２の放射線検出器面２１２との間に配設される。フィルタ１１０は、放射線Ｒから低エネルギ成分（周波数の低い成分。軟放射線）を吸収する。フィルタ１１０には、たとえば、アルミニウム、銅、モリブデン、タングステンなどの金属の薄板が適用される。フィルタ１１０には、通知部１１６が設けられる。通知部１１６は、フィルタ１１０に関する情報（たとえば、フィルタ１１０の仕様）を、放射線検出器２００ａの駆動制御部２０１に送信する。通知部１１６には、たとえば、フィルタ１１０に関する情報が記録されたＲＯＭなどが適用される。
フィルタケース１０８ａは、一側が開口する箱状の構成を有する。フィルタケース１０８ａの内部には、フィルタ１１０を収容可能な空間が形成される。そして、この開口部を介して、フィルタケース１０８ａの内部にフィルタ１１０を出し入れ自在に収容できる。また、開口部にフィルタ蓋１１１を装着することによって、この開口部を閉鎖できる。
フィルタケース１０８ａの内部には、フィルタ検出部１０９が設けられる。フィルタ検出部１０９は、フィルタ１１０に設けられる通知部１１６からフィルタ１１０に関する情報を検出して、放射線検出器２００ａの駆動制御部２０１に送信する。
フィルタケース１０８ａの外周には、放射線検出器２００ａを着脱自在に装着できる。
フィルタケース１０８ａの一側であって開口部と反対側の外周面には、保護部材１０３ｃが設けられる。保護部材１０３ｃは、弾性変形容易な構成を有し、放射線検出器２００ａが損傷すること防止または抑制する。
フィルタケース１０８ａの開口部の近傍であって、筺体１０１ａに収容された状態で放射線入射面１０２の側を向く面（上側の外周面）には、検出器固定部１０４が設けられる。検出器固定部１０４は、放射線検出器２００ａの放射線検出部２３２の長手方向の一端部（駆動制御部２０１が設けられる側と反対側の端部）を固定できる。なお、検出器固定部１０４は、放射線検出器２００ａの一端部を着脱自在に固定できる構成であればよく、具体的な構成は限定されない。
フィルタケース１０８ａの開口部の近傍であって、筺体１０１ａの放射線入射面１０２に対向する面と反対側の面（図２と図３においては下側の面）には、制御部固定具１０５が着脱自在に取付けられる。制御部固定具１０５は、放射線検出器２００ａの駆動制御部２０１に着脱自在に取付け可能である。さらに制御部固定具１０５は、放射線検出器２００ａの駆動制御部２０１に取り付けられた状態で、フィルタケース１０８ａの下側の外周面に着脱自在に取付けることができる。このように、放射線検出器２００ａの駆動制御部２０１は、制御部固定具１０５によって、フィルタケース１０８ａに着脱自在に取付けることができる。なお、制御部固定具１０５には、保護部材１０３ｄが設けられる。保護部材１０３ｄは、放射線検出器２００ａが損傷すること防止または抑制する。
【００１３】
放射線検出器２００ａの第１の放射線検出器面２１０（第１の放射線入射面２０９）には、被写体Ｐを透過した放射線Ｒが入射する。そして、第１の放射線検出器面２１０の第１の撮影領域２２３において、入射した放射線Ｒによる放射線画像が取得される。説明の便宜上、第１の撮影領域２２３において取得される放射線画像を、第１の放射線画像と称する。一方、放射線検出器２００ａの第２の放射線入射面２０９には、被写体Ｐおよびフィルタ１１０を透過した放射線Ｒが入射する。そして、第２の放射線検出器面２１２の第２の撮影領域２２４において、入射した放射線Ｒによる放射線画像が取得される。説明の便宜上、第２の撮影領域２２４において取得される放射線画像を、第２の放射線画像と称する。フィルタ１１０を透過する際に、放射線Ｒに含まれる低エネルギ成分が吸収（除去）される。したがって、第２の放射線画像は、第１の放射線画像から低エネルギ成分（軟放射線）が分離（除去）された放射線画像（硬放射線の画像）となる。
第１の撮影領域２２３と第２の撮影領域２２４の外縁は、筺体１０１ａの放射線入射面１０２の側からの平面視において、筺体１０１ａの放射線入射面１０２の有効撮影領域１１５の外縁よりも外側に位置する（図４参照）。第１の撮影領域２２３と第２の撮影領域２２４（複数の撮影領域）のそれぞれにおいて、放射線Ｒの入射方向からの平面視で、放射線入射面１０２の有効撮影領域１１５の外側に位置する領域を、ダミー領域２０８と称する。
筺体１０１ａには、マーカ１０６が設けられる。マーカ１０６は、放射線画像に写り込む構造物である。マーカ１０６は、放射線Ｒの入射方向からの平面視において、筺体１０１ａのダミー領域２０８に重畳する部分に位置するように設けられる。さらに、マーカ１０６は、筺体１０１ａの放射線入射面１０２と、筺体１０１ａの放射線入射面１０２に最も近い放射線検出器面（ここでは、第１の放射線検出器面２１０）との間に位置するように設けられる（図２、図４参照）。
【００１４】
次に、放射線検出器２００ａの構成について説明する。図５は、放射線検出器２００ａの断面構造を模式的に示す図であり、図２と同じ側から見た図である。放射線検出器２００ａは、可撓性を有するシート状または板状の構成を有する。また、放射線検出器２００ａは、放射線検出部２３２と駆動制御部２０１とを有する。放射線検出部２３２は、平面視において略四辺形に形成される。駆動制御部２０１は、放射線検出部２３２の所定の一辺（長手方向の端部）に設けられる。
放射線検出部２３２は、シンチレータ層２１６と、光検出素子配線層２１７と、基体２１８との３層構造を有する。
シンチレータ層２１６は、放射線Ｒが照射されると発光する物質を有する層である。シンチレータ層２１６には、たとえば、ＧＯＳ（Ｇｄ2Ｏ2Ｓ：Ｔｂ）や、ＣｓＩ：Ｔｌなどが適用される。
光検出素子配線層２１７は、シンチレータ層２１６の発光を電気信号に変換する回路が形成される層である。光検出素子配線層２１７には、光検出素子２０７（光電変換素子）が二次元マトリックス状に配列される。そして、光検出素子２０７は、シンチレータ層２１６の発光を電気信号に変換する。さらに光検出素子配線層２１７には、ゲート線２１９や信号線２２０などが形成される。ゲート線２１９は、光検出素子２０７の駆動するための信号を内部制御部２０２から送信する配線である。信号線２２０は、光検出素子２０７が変換した電気信号を読み出すための配線である。
基体２１８は、放射線検出器２００ａのベースとなる部材（強度部材）である。基体２１８には、樹脂やガラスの薄板が適用される。なお、基体２１８は、可撓性を有する板状またはシート状の部材であればく、樹脂やガラスに限定されるものではない。
このほか、放射線検出器２００ａには、前記各層を保護するための保護層や、前記各層を接着するための接着剤層や、シンチレータ層２１６の発光の検出の効率を向上させるための反射層（いずれも図略）が設けられる。
前記各層は可撓性を有している。このため、放射線検出器２００ａの放射線検出部２３２は、全体として可撓性を有する。
放射線検出器２００ａは、長手方向の中間において曲げ返された状態で、フィルタケース１０８ａに装着される。この際に、放射線検出器２００ａの放射線検出部２３２は、基体２１８の側が内側になるように曲げられる。そして、放射線検出器２００ａは、フィルタケース１０８ａに装着された状態で、筺体１０１ａの内部に収容される。したがって、第１の放射線検出器面２１０にはシンチレータ層２１６の側から放射線Ｒが入射し、第２の放射線検出器面２１２には基体２１８の側から放射線Ｒが入射する。このため、放射線検出器２００ａは、シンチレータ層２１６の側と基体２１８の側のいずれの側から放射線Ｒが照射された場合であっても、照射された放射線Ｒを電気信号に変換して検出できる構成を有する。たとえば、前記各層は放射線Ｒを透過可能な構成を有する。このような構成によれば、第１の放射線検出器面２１０と第２の放射線検出器面２１２は、いずれも放射線Ｒを電気信号に変換して検出し、それぞれ放射線画像（第１の放射線画像と第２の放射線画像）を取得できる。
【００１５】
ここで、駆動制御部２０１の構成と、放射線検出器２００ａの回路構成について、図６を参照して説明する。図６は、放射線検出器２００ａの回路構成の概略を示す模式図である。図６に示すように、放射線検出器２００ａには、長手方向の一端に駆動制御部２０１が設けられる。
駆動制御部２０１には、内部制御部２０２と、通信部２０３と、バッテリ２０４と、コネクタ２０５とが設けられる。
内部制御部２０２は、放射線検出器２００ａを制御する。たとえば、内部制御部２０２は、光検出素子２０７の制御と、光検出素子２０７が変換した電気信号（放射線画像）を読み出しと、読み出した電気信号（放射線画像）の画像処理とを行う。
通信部２０３は、放射線検出器２００ａの外部（たとえば筺体１０１ａや、放射線撮影システム１の外部制御部３０３（後述））と有線通信または無線通信を行う。
バッテリ２０４は、放射線検出器２００ａに駆動用の電力を供給する。
コネクタ２０５には、バッテリ２０４の充電や外部と通信するためのケーブルを接続できる。
図６に示すように、光検出素子配線層２１７には、ゲート線２１９（実線で示す）と信号線２２０（破線で示す）とが、互いに直交する方向に延伸するように設けられる。そして、各列の光検出素子２０７には、ゲート線２１９と信号線２２０とが、信号を送受信可能に接続される。
放射線検出器２００ａは、長手方向の中間において曲げられている。そして、曲げられた箇所から長手方向の一端（駆動制御部２０１が設けられない側の端部）までの部分が、第１の放射線検出器面２１０になる。一方、曲げられた箇所から長手方向の他の一端（駆動制御部２０１が設けられる側の端部）までの部分が、第２の放射線検出器面２１２になる。第１の放射線検出器面２１０と第２の放射線検出器面２１２とは、所定の距離をおいて略平行に積層（重畳）する。なお、曲げられた箇所における曲率半径の中心線Ｃの延伸方向（折り曲げられた場合には、折れ線の延伸方向）は、ゲート線２１９に平行である。すなわち、ゲート線２１９のそれぞれは、第１の放射線検出器面２１０と第２の放射線検出器面２１２に跨って延伸しない。このような構成であると、内部制御部２０２は、第１の放射線検出器面２１０に存在する光検出素子２０７と、第２の放射線検出器面２１２に存在する光検出素子２０７とを、互いに独立して制御できる。
【００１６】
放射線撮影装置１００ａは、１回の放射線Ｒの照射によって、第１の放射線画像と第２の放射線画像との２つ（複数）の放射線画像を取得できる。第１の放射線画像と第２の放射線画像とは、いずれも有効撮影領域１１５よりも大きい画像であり、かつ互いにエネルギ成分が異なる画像である。
そして、本発明の第１実施形態にかかる放射線撮影装置１００ａ（内部制御部２０２）は、取得した２つ（複数）の放射線画像を用いて、エネルギサブトラクション法を実行する（サブトラクション処理（差分処理）する）。これにより、低エネルギ成分による放射線画像が得られる。たとえば、本発明の第１実施形態にかかる放射線撮影装置１００ａ（内部制御部２０２）は、第１の放射線画像から第２の放射線画像をサブトラクション処理（差分処理）する。これにより、骨部組織と軟部組織とが分離された放射線画像や、被写体Ｐに挿入されたカテーテルやガイドワイヤなどが強調された放射線画像が得られる。
なお、エネルギサブトラクション法によって強調できる低エネルギ成分は、フィルタ１１０によって吸収されるエネルギ成分に依存する。フィルタ１１０を筺体１０１ａから出し入れ自在な構成であれば、所望の仕様のフィルタ１１０に交換できる。したがって、所望のエネルギ成分が強調された放射線画像が得られる。また、フィルタ検出部１０９がフィルタ１１０の種類などの情報を取得し、駆動制御部２０１がフィルタ１１０に関する情報を検者（操作者）に通知することができる。これによって、検者（操作者）は、放射線撮影装置１００ａの設定が、収容されているフィルタ１１０に適合しているか否かを判定できる。
なお、サブトラクション処理において、第１の放射線画像と第２の放射線画像とで被写体の大きさ（拡大率）や角度が揃っていないと、処理後の放射線画像にボケやアーチファクトが発生するおそれがある。そこで、放射線撮影装置１００ａ（内部制御部２０２）は、第１の放射線画像と第２の放射線画像に写るマーカ１０６の位置および大きさを検出する。そして、放射線撮影装置１００ａ（内部制御部２０２）は、マーカ１０６の位置および大きさに基づいて、第１の放射線画像と第２の放射線画像との拡大率の相違や角度のずれを検出して補正する。これにより、第１の放射線画像と第２の放射線画像との拡大率と角度とを揃えることができ、ボケやアーチファクトの発生を防止または抑制することができる。
【００１７】
次に、放射線検出器２００ａの放射線検出部２３２を第１の放射線検出器面２１０と第２の放射線検出器面２１２とに分割するための構成について、図７を参照して説明する。図７は、放射線検出器２００ａの放射線検出部２３２を第１の放射線検出器面２１０と第２の放射線検出器面２１２とに分割するための構成を模式的に示す斜視図である。
放射線検出器２００ａの光検出素子配線層２１７には、曲りセンサ（図略）が設けられる。曲りセンサは、放射線検出器２００ａの放射線検出部２３２の曲り状態（曲り量）を検出する。曲がりセンサが検出した曲り量は、内部制御部２０２に送信される。内部制御部２０２は、曲がりセンサが検出した曲り量に基づいて、曲げられた箇所の位置および範囲と曲り量とを判定する。そして、内部制御部２０２は、曲り量が所定値であると判定した場合には、曲りが検出された部分（厳密には、曲りが検出された部分の曲率半径の中心線Ｃの延伸方向の全体）を、分割領域２１５に設定する。分割領域２１５とは、放射線検出器２００ａの放射線検出部２３２を、第１の放射線検出器面２１０と第２の放射線検出器面２１２とに分割する領域である。換言すると、分割領域２１５は、第１の放射線検出器面２１０と第２の放射線検出器面２１２との境界となる領域である。そして、内部制御部２０２は、曲げられた箇所から長手方向の一端までの部分を、第１の放射線検出器面２１０に設定し、曲げられた箇所から長手方向の他の一端までの部分を、第２の放射線検出器面２１２に設定する。このため、放射線検出部２３２に設けられる撮影領域２０６も、第１の放射線検出器面２１０に含まれる第１の撮影領域２２３と、第２の放射線検出器面２１２に含まれる第２の撮影領域２２４とに分割される。
なお、「曲り量の所定値」は、たとえば、放射線撮影装置１００ａの装置の内部空間の高さ寸法をＨとすると、曲りの曲率半径ｒが「ｒ≦Ｈ／２」であり、曲り部の円周方向の長さＬが「Ｌ＝πＨ／２」である場合である。このように、内部制御部２０２は、第１の撮影領域２２３と第２の撮影領域２２４とを、放射線検出器２００ａの曲げ状態に基づいて設定することができる。
また、内部制御部２０２は、検出器センサ１０７で放射線検出器２００ａが筺体１０１ａに装着されていることを検出することによって、第１の放射線画像と第２の放射線画像の撮影領域２２３，２２４を設定することもできる。すなわち、内部制御部２０２は、放射線検出器２００ａが筺体１０１ａに装着されていることを検出した場合には、分割領域２１５で撮影領域２０６を分割する。なお、フィルタケース１０８ａの寸法および形状と、放射線検出器２００ａの寸法および形状が既知であれば、放射線検出器２００ａの放射線検出部２３２のいずれの部分が分割領域２１５になるかは、あらかじめ判明している。そこで、フィルタケース１０８ａと放射線検出器２００ａの仕様に応じた第１の撮影領域２２３と第２の撮影領域２２４の範囲を、あらかじめ内部制御部２０２に登録しておく。そして、内部制御部２０２は、あらかじめ登録された範囲を読み出して、第１の撮影領域２２３と第２の撮影領域２２４とを設定する。
【００１８】
ここで、放射線検出器２００ａの動作について、図８を参照して説明する。図８は、放射線検出器２００ａの動作を模式的に示す斜視図である。放射線検出器２００ａに放射線Ｒが照射されると、第１の撮影領域２２３と第２の撮影領域２２４のそれぞれの光検出素子２０７は、照射された放射線Ｒを電気信号に変換して電荷を蓄積する。そして、光検出素子２０７が蓄積した電荷は、ゲート線２１９から供給される信号に基づいて、信号線２２０を通じて内部制御部２０２に送信される。内部制御部２０２は、第１の撮影領域２２３と第２の撮影領域２２４のそれぞれに配列される光検出素子２０７が蓄積した電荷を読み出す。これによって、内部制御部２０２は、放射線Ｒの強度分布を示す第１の放射線画像と第２の放射線画像とを取得できる。
具体的には次のとおりである。
まず、内部制御部２０２は、第１の放射線検出器面２１０の第１の撮影領域２２３の一番端に位置するゲート線２１９に、所定の信号を送信する。そして、内部制御部２０２は、一番端に位置するゲート線２１９に接続される１列の光検出素子２０７に蓄積される電荷を読み出す。
次いで、内部制御部２０２は、第２の放射線検出器面２１２の第２の撮影領域２２４の一番端に位置するゲート線２１９に、所定の信号を送信する。そして、内部制御部２０２は、一番端に位置するゲート線２１９に接続される１列の光検出素子２０７に蓄積される電荷を読み出す。
次いで、内部制御部２０２は、第１の放射線検出器面２１０の第１の撮影領域２２３の端から２番目に位置するゲート線２１９に所定の信号を送信する。そして内部制御部２０２は、端から２番目に位置するゲート線２１９に接続される１列の光検出素子２０７に蓄積される電荷を読み出す。
次いで、内部制御部２０２は、第２の放射線検出器面２１２の第２の撮影領域２２４の端から２番目に位置するゲート線２１９に所定の信号を送信する。そして内部制御部２０２は、端から２番目に位置するゲート線２１９に接続される１列の光検出素子２０７に蓄積される電荷を読み出す。
以下、内部制御部２０２は、同様の動作を繰り返す。このように、内部制御部２０２は、第１の撮影領域２２３の各列の光検出素子２０７からの電荷の読み出しと、第２の撮影領域２２４の各列の光検出素子２０７からの電荷の読み出しとを、１列ずつに交互に（周期的に）実行する。このような処理によって、１つの内部制御部２０２によって、複数の撮影領域（第１の撮影領域２２３と第２の撮影領域２２４）の光検出素子２０７の電荷を読み出すことができる。また、第１の撮影領域２２３と第２の撮影領域２２４からの電荷の読み出しを交互に（周期的に）行うことによって、電荷の読み出し開始から終了までの時間差を小さくできる。したがって、内部制御部２０２は、高品質なサブトラクション画像を取得できる。
【００１９】
次に、放射線検出器２００ａを筺体１０１ａに収容する工程について、図９〜図１１を参照して説明する。図９〜図１１は、放射線検出器２００ａを筺体１０１ａに収容する工程を模式的に示す図である。
図９に示すように、作業者は、放射線検出器２００ａをフィルタケース１０８ａ（保持部材）に装着する。具体的には、次のとおりである。まず、作業者は、放射線検出器２００ａの長手方向の一端部（駆動制御部２０１）に、制御部固定具１０５を取り付ける。次いで、作業者は、放射線検出器２００ａの長手方向の他の一端部（駆動制御部２０１とは反対側の端部）を、フィルタケース１０８ａ（保持部材）に設けられる検出器固定部１０４に固定する。そして、作業者は、放射線検出器２００ａを、フィルタケース１０８ａの外周面に沿わせる。最後に、放射線検出器２００ａに取り付けられた検出器固定部１０４を、フィルタケース１０８ａの外周面（検出器固定部１０４が設けられる面とは反対側の面）に取り付ける。そうすると、放射線検出器２００ａの長手方向の中間部が、１８０°曲げ返される（折り返される）状態となる。この曲げられた部分が分割領域２１５となる。分割領域２１５の内側の表面（曲率半径の中心側の面）は、フィルタケース１０８ａに設けられる保護部材１０３ｃに当接する。したがって、分割領域２１５は保護部材１０３ｃによって保護される。分割領域２１５と検出器固定部１０４に固定される箇所との間の領域が、第１の放射線検出器面２１０となる。一方、分割領域２１５と制御部固定具１０５によってフィルタケース１０８ａに固定される個所との間の領域が、第２の放射線検出器面２１２となる。
次いで、図１０に示すように、作業者は、放射線検出器２００ａが装着されたフィルタケース１０８ａ（保持部材）を、筺体１０１ａに収容する。図１０に示すように、筺体１０１ａの内周面には着脱ガイド１１４（ガイド部）が設けられている。このため、作業者は、フィルタケース１０８ａを着脱ガイド１１４に係合させてスライドさせることにより、フィルタケース１０８ａを筺体１０１ａの内部に収容できる。フィルタケース１０８ａが最後まで挿入されると、放射線検出器２００ａの分割領域２１５は、筺体１０１ａの内周面に設けられる保護部材１０３ａと、フィルタケース１０８ａに設けられる保護部材１０３ｃとに挟まれる。このような構成によって、放射線検出器２００ａの分割領域２１５が保護される。なお、筺体１０１ａに設けられる保護部材１０３ａは、フィルタケース１０８ａに設けられる保護部材１０３ｃよりも変形しやすい構成のものが適用される。このような構成によれば、放射線検出器２００ａの分割領域２１５に過大な圧縮力がかかって撓み変形することが防止される。
着脱ガイド１１４（ガイド部）と保護部材１０３ａは、放射線Ｒの入射方向から見て、有効撮影領域１１５の外側に設けられる（図２参照）。このような構成によって、着脱ガイド１１４と保護部材１０３ａとが第１の放射線画像と第２の放射線画像に映り込むことが防止される。
次いで、図１１に示すように、作業者は、放射線検出器２００ａが挿入された筺体１０１ａ（フィルタケース１０８ａ）に、フィルタ１１０を装着する。そして、作業者は、フィルタ蓋１１１をフィルタケース１０８ａに装着し、さらに、筺体１０１ａの検出器蓋１１２を閉じる。フィルタ１１０がフィルタケース１０８ａに収容されると、フィルタ１１０の通知部１１６が、フィルタケース１０８ａに設けられるフィルタ検出部１０９に、信号を送信可能に接続する。このため、フィルタ１１０に関する情報（フィルタ１１０の仕様など）は、通知部１１６からフィルタ検出部１０９を通じてフィルタケース１０８ａに送信される。さらに、フィルタ１１０に関する情報は、フィルタケース１０８ａに装着される放射線検出器２００ａの駆動制御部２０１の内部制御部２０２に送信される。したがって、放射線検出器２００ａの内部制御部２０２は、フィルタ１１０に関する情報を取得できる。
以上の工程を経て、放射線撮影装置１００ａが使用できる状態となる。
このような構成の放射線撮影装置１００ａは、エネルギサブトラクション法を用いた撮影ができる。また、筺体１０１ａから取り出された（収容される前の）放射線検出器２００ａを用いることによって、一般撮影や、長尺撮影を行うことができる。このように、エネルギサブトラクション法を用いる撮影と、一般撮影と、長尺の被写体の撮影とを、共通の放射線検出器２００ａを用いて行うことができる。
【００２０】
（第２実施形態）
次に、本発明の第２実施形態について説明する。図１２は、本発明の第２実施形態にかかる放射線撮影装置１００ｂの構成を模式的に示す外観斜視図である。図１３と図１４は、本発明の第２実施形態にかかる放射線撮影装置１００ｂの内部構造を模式的に示す図である。そして、図１３は、図１２のＸＩＩＩ−ＸＩＩＩ線断面図であり、図１４は図１３のＸＩＶ−ＸＩＶ線断面図である。図１２〜図１４においては、放射線撮影装置１００ｂは、上方から照射される放射線Ｒを検出する。図１５は、本発明の第２実施形態にかかる放射線撮影装置１００ｂに適用される放射線検出器２００ｂの構成を模式的に示す外観斜視図である。なお、第１実施形態と共通の構成については、同じ符号を付して示し、説明は省略する。
【００２１】
図１２〜図１４に示すように、筺体１０１ｂには、着脱スライダ１２１が設けられる。着脱スライダ１２１には、放射線検出器２００ｂの長手方向の端部のそれぞれ（駆動制御部２０１の側の端部と、駆動制御部２０１とは反対側の端部）を着脱自在に取付けることができる。作業者は、着脱スライダ１２１を、放射線検出器２００ｂが取り付けられた状態で、検出器蓋１１２が設けられる面とそれに対向する面との間を往復動させることができる。なお、作業者が着脱スライダ１２１を筺体１０１ｂの外部から操作できる（往復動させることができる）ように、着脱スライダ１２１の一部が筺体１０１ｂの外部に露出している（図１２参照）。たとえば、着脱スライダ１２１の操作把持部が、筺体１０１ｂの外部に設けられる。
筺体１０１ｂの内部の上下方向（放射線Ｒの照射方向をいう。以下同じ）の中間には、フィルタ１１０を収容可能なフィルタ収容室１２３が形成される。具体的には、図１３と図１４に示すように、筺体１０１ｂの内部には、上下２つの隔壁１２４，１２５が、上下方向に所定の距離をおいて離間して形成される。これら上下２つの隔壁１２４，１２５は、放射線入射面１０２と略平行である。そして、上下２つの隔壁１２４，１２５の間の領域が、フィルタ１１０を収容可能なフィルタ収容室１２３となる。
フィルタ収容室１２３の一端（ここでは、検出器蓋１１２に近い側の端部）は閉鎖し、他の一端（ここでは、検出器蓋１１２から遠い側の端部）は開口する。このため、筺体１０１ｂの側面（ここでは、検出器蓋１１２が設けられる面の反対側の面）には、開口部が形成される。この開口部には、フィルタ収容室１２３を閉鎖するフィルタ蓋１１１が着脱自在に取付け可能である。
このほか、フィルタ収容室１２３の一端の内周面には、フィルタ検出部１０９が設けられる。
下側の隔壁１２５と筺体１０１ｂの内周面（ここでは、放射線入射面１０２とは反対側の内周面）との間には、放射線遮蔽部材１２０が設けられる。放射線遮蔽部材１２０は、板状の部材であり、下側の隔壁１２５と筺体１０１ｂの内周面とのそれぞれから所定の間隔をおいて離間して設けられる。また、放射線遮蔽部材１２０は、下側の隔壁１２５と略平行に設けられる。なお、放射線遮蔽部材１２０の一端（検出器蓋１１２から遠い側の端部）と、筺体１０１ｂの内周面（ここでは、検出器蓋１１２に対向する内周面）との間には、ケーブル１１９を挿通可能な隙間が形成される。
また、フィルタ収容室１２３を構成する隔壁のうち、検出器蓋１１２に対向する面には、保護部材１０３ａが設けられる。
【００２２】
図１３と図１４に示すように、放射線検出器２００ｂは、フィルタ収容室１２３を挟み込むようにして曲げられる。曲げられている部分（すなわち、分割領域２１５）は、フィルタ収容室１２３の隔壁に設けられる保護部材１０３ａと、検出器蓋１１２に設けられる保護部材１０３ｂとによって挟まれる。このように、分割領域２１５は、保護部材１０３ａ，１０３ｂに挟まれることによって、傷がつくことがないように保護される。
放射線検出器２００ｂの放射線検出部２３２のうち、フィルタ収容室１２３の上側の隔壁１２４と筺体１０１ｂの放射線入射面１０２との間に配設される領域が、第１の放射線検出器面２１０となる。一方、フィルタ収容室１２３の下側の隔壁１２５と放射線遮蔽部材１２０との間に配設される領域が、第２の放射線検出器面２１２となる。
さらに、放射線遮蔽部材１２０の下側（放射線入射面１０２から遠い側）には、放射線検出器２００ｂの駆動制御部２０１が配設される。放射線検出器２００ｂの駆動制御部２０１と放射線検出部２３２とは、可撓性を有するケーブル１１９を介して分離自在で且つ信号を送受信可能に接続される。
【００２３】
次に、放射線検出器２００ｂについて、図１５を参照して説明する。図１５は、放射線検出器２００ｂの構成を模式的に示す外観斜視図である。放射線検出器２００ｂは、放射線検出部２３２と駆動制御部２０１とを有する。放射線検出部２３２と駆動制御部２０１とは、可撓性を有するケーブル１１９よって分離自在に接続される。具体的には次のとおりである。駆動制御部２０１からケーブル１１９が引き出される。ケーブル１１９の先端にはコネクタ１１７が設けられる。一方、放射線検出部２３２の長手方向の一端部にはコネクタ２２１が設けられる。ケーブル１１９に設けられるコネクタ１１７と、放射線検出部２３２に設けられるコネクタ２２１とは分離自在に結合可能である。なお、放射線検出部２３２と駆動制御部２０１とがケーブル１１９によって分離自在に接続できる構成であることを除いては、第１実施形態と共通の構成が適用される。
【００２４】
次に、放射線検出器２００ｂを筺体１０１ｂに収容する工程について、図１６と図１７を参照して説明する。図１６と図１７は、放射線検出器２００ｂを筺体１０１ｂに収容する工程を模式的に示す図である。
図１６に示すように、作業者は、放射線検出器２００ｂの放射線検出部２３２と駆動制御部２０１とを分離する。前記のとおり、放射線検出器２００ｂの放射線検出部２３２と駆動制御部２０１とはケーブル１１９を介して分離自在に接続されている。
次いで、図１７に示すように、作業者は、フィルタ１１０をフィルタ収容室１２３に収容し、フィルタ蓋１１１によってフィルタ収容室１２３を閉鎖する。
また、作業者は、放射線検出器２００ｂの駆動制御部２０１を、放射線遮蔽部材１２０の下側（放射線入射面１０２とは反対側）に配設するとともに、コネクタ１１７を下側の隔壁１２５と放射線遮蔽部材１２０との間に配設する。
次いで、作業者は、放射線検出部２３２を筺体１０１ｂに収容する。具体的には次のとおりである。まず、作業者は、放射線検出部２３２を長手方向の中間で曲げる。そして、作業者は、放射線検出部２３２の長手方向の両端部を、筺体１０１ｂに設けられる着脱スライダ１２１に取り付ける。次いで、作業者は、着脱スライダ１２１を図１７中の矢印で示す向きスライドさせる。着脱スライダ１２１が最後までスライドさせられると、放射線検出部２３２のコネクタ２２１と、筺体１０１ｂの内部に設けられるコネクタ１１７とが信号を送受信可能に結合する。このコネクタ１１７は、放射線遮蔽部材１２０の下方（ここでは、放射線入射面１０２とは反対側）に設けられる駆動制御部２０１と、ケーブル１１９により接続されている。
さらに、着脱スライダ１２１が最後までスライドさせられると、放射線検出器２００ｂが、筺体１０１ｂの内部に設けられる保護部材１０３ａに接触する。したがって、放射線検出器２００ｂに傷が付くことなどが防止される。最後に、作業者は、検出器蓋１１２を閉じる。そうすると、放射線検出器２００ｂの分割領域２１５は、筺体１０１ｂの内部に設けられる保護部材１０３ａと、検出器蓋１１２の内周面に設けられる保護部材１０３ｂとにより挟まれる。
以上の工程を経ると、放射線撮影装置１００ｂは、使用できる状態となる。本発明の第２実施形態によれば、第１実施形態と同じ効果を奏することができる。
【００２５】
（第３実施形態）
本発明の第３実施形態について、図１８から図２０を参照して説明する。なお、第１実施形態と共通の構成については、同じ符号を付して示し説明は省略する。
まず、本発明の第３実施形態にかかる放射線撮影装置１００ｃの全体的な構成について、図１８を参照して説明する。図１８は、本発明の第３実施形態にかかる放射線撮影装置１００ｃの構成を模式的に示す断面図である。図１８に示すように、放射線撮影装置１００ｃは、筺体１０１ｃと、放射線検出器２００ｃと、第１のフィルタケース１３１と、第２のフィルタケース１３２とを有する。筺体１０１ｃは第１実施形態と同様の構成を有する。放射線検出器２００ｃは、第１実施形態と第２の実施形態のいずれかと同様の構成を有する。図１８においては、放射線検出器２００ｃが、第２実施形態と同様の構成を有する例を示す。
放射線検出器２００ｃの放射線検出部２３２は、第１の放射線検出器面２１０と、第２の放射線検出器面２１２と、第３の放射線検出器面２１４との３つの放射線検出器面に分割される。このため、放射線検出部２３２に設けられる撮影領域も、３つに分割される。撮影領域２０６のうち、第１の放射線検出器面２１０に含まれる部分を第１の撮影領域２２３と称し、第２の放射線検出器面２１２に含まれる部分を第２の撮影領域２２４と称し、第３の放射線検出器面２１４に含まれる部分を第３の撮影領域２２５と称する。
第１の放射線検出器面２１０（第１の撮影領域２２３）は、３つの放射線検出器面（３つに分割された撮影領域２０６）のうちで筺体１０１ｃの放射線入射面１０２に最も近い位置に位置する。第２の放射線検出器面２１２（第２の撮影領域２２４）は、３つの放射線検出器面のうちで筺体１０１ｃの放射線入射面１０２から２番目に遠い位置に位置する。第３の放射線検出器面２１４（第３の撮影領域２２５）は、３つの放射線検出器面のうちで筺体１０１ｃの放射線入射面１０２から最も遠い位置に位置する。第１の放射線検出器面２１０と第２の放射線検出器面２１２とは、所定の距離をおいて離間している。そして、第１の放射線検出器面２１０と第２の放射線検出器面２１２との間には、第１のフィルタ１１０が、第１のフィルタケース１３１に収容された状態で設けられる。第２の放射線検出器面２１２と第３の放射線検出器面２１４とは、所定の距離をおいて離間している。そして、第２の放射線検出器面２１２と第３の放射線検出器面２１４との間には、第２のフィルタ１２２が、第２のフィルタケース１３２に収容された状態で設けられる。
また、これらの３つの放射線検出器面２１０，２１２，２１４は、いずれも筺体１０１ｃの放射線入射面１０２に略平行に設けられる。
第１のフィルタ１１０と第２のフィルタ１２２とは、放射線Ｒの互いに異なるエネルギ成分を吸収する。第１のフィルタ１１０は、第１のフィルタケース１３１に収容された状態で、筺体１０１ｃに収容される。同様に、第２のフィルタ１２２は、第２のフィルタケース１３２に収容された状態で、筺体１０１ｃに収容される。なお、第１のフィルタケース１３１と第２のフィルタケース１３２とは、別個独立した部材である。そして、第１のフィルタケース１３１と第２のフィルタケース１３２とは、互いに独立して筺体１０１ｃに着脱できる。
第１のフィルタケース１３１と第２のフィルタケース１３２とは、いずれも一側が開口する箱状の構成を有する。そして、第１のフィルタケース１３１の内部には、第１のフィルタ１１０を収容可能な空間が形成される。同様に、第２のフィルタケース１３２の内部には、第２のフィルタ１２２を収容可能な空間が形成される。また、第１のフィルタケース１３１と第２のフィルタケース１３２のそれぞれには、第１実施形態と同様に、フィルタ検出部１０９と保護部材１０３ｅ，１０３ｆが設けられる。さらに、第２のフィルタケース１３２と放射線検出部２３２との間には、保護部材１０３ｇが設けられる。
【００２６】
第１の撮影領域２２３は、被写体Ｐを透過した放射線Ｒを検出して第１の放射線画像を取得する。第２の撮影領域２２４は、被写体Ｐおよび第１のフィルタ１１０を透過した放射線Ｒを検出して第２の放射線画像を取得する。第２の放射線画像は、第１のフィルタ１１０により所定のエネルギ成分が吸収された放射線Ｒによる放射線画像である。第３の撮影領域２２５は、被写体Ｐと第１のフィルタ１１０および第２のフィルタ１２２を透過した放射線を検出して第３の放射線画像を取得する。第３の放射線画像は、第１のフィルタ１１０および第２のフィルタ１２２により所定のエネルギ成分が吸収された放射線Ｒによる放射線画像である。
このような構成によれば、１回の放射線の照射によって、エネルギ成分の分布が互いに異なる３つの放射線画像（第１の放射線画像、第２の放射線画像、第３の放射線画像）が取得される。これらの３つの放射線画像は、有効撮影領域１１５よりも大きい放射線画像である。そして、放射線撮影装置１００ｃは、これらの３つの放射線画像を用いてサブトラクション処理することによって、２つの放射線画像を用いる場合よりも詳細な放射線画像を取得できる。
【００２７】
次に、放射線検出器２００ｃの放射線検出部２３２の構成について、図１９を参照して説明する。図１９は、本発明の第３実施形態にかかる放射線撮影装置１００ｃに適用される放射線検出器２００ｃの放射線検出部２３２の構成を模式的に示す断面図である。
図３に示すように、放射線検出器２００ｃの放射線検出部２３２は、長手方向の中間部（長手方向の中間の約１／３の部分）の領域に、長手方向の一端寄りの部分（駆動制御部２０１に近い側の約１／３の部分）が積層するように曲げられる。さらに、長手方向の他の一端寄りの部分（駆動制御部２０１の反対側の約１／３の部分）が、中間部および一端寄りの部分に積層するように曲げられる。そして、他の一端寄りの部分が第１の放射線検出器面２１０となり、他の一端寄りの部分が第２の放射線検出器面２１２となり、中間部が第３の放射線検出器面２１４となる。このように、第１の放射線検出器面２１０と第２の放射線検出器面２１２と第３の放射線検出器面２１４とが、所定の間隔を置いて離間して略平行に積層する。
第１の放射線検出器面２１０と第２の放射線検出器面２１２とは、シンチレータ層２１６が同じ側（筺体１０１ｃの放射線入射面１０２の側）に位置する。このため、第１の放射線画像と第２の放射線画像は、いずれも、シンチレータ層２１６の側から入射した放射線Ｒを検出して取得した放射線画像となる。このように、第１の放射線画像と第２の放射線画像とは、放射線Ｒの入射条件が同じ放射線画像である。したがって、第１の放射線画像と第２放射線画像とを用いてサブトラクション処理を行う構成であると、高品質なサブトラクション画像を取得できる。また、このような構成によれば、放射線画像の補正の必要がない。すなわち、互いに異なる層の側から入射した放射線画像を用いてサブトラクション処理を行う場合には、あらかじめ画像の補正を行う必要がある。このため第３実施形態にかかる構成は、画像処理に要する手間やコストの削減を図ることができる。
【００２８】
次に、放射線検出器２００ｃの回路構成と動作について、図２０を参照して説明する。図２０は、放射線検出器２００ｃの回路構成を模式的に示す斜視図である。図２０に示すように、放射線検出器２００ｃの放射線検出部２３２は、２カ所において曲げられる。曲げられた箇所が分割領域２１５ａ，２１５ｂとなる。一方の分割領域２１５ａから長手方向の一端までの領域が第１の放射線検出器面２１０となる。他方の分割領域２１５ｂから長手方向の他の一端までの領域が、第２の放射線検出器面２１２となる。二つの分割領域２１５ａ，２１５ｂの間の領域が、第３の放射線検出器面２１４となる。このように、放射線検出器２００ｃの放射線検出部２３２は、長手方向に離間して形成される２つの分割領域２１５ａ，２１５ｂによって、３つの部分に分割される。さらに、放射線検出部２３２に設けられる撮影領域２０６も、３つの部分（第１の撮影領域２２３、第２の撮影領域２２４、第３の撮影領域２２５）に分割される。そして、分割された３つの撮影領域のそれぞれから、３つの放射線画像（第１の放射線画像、第２の放射線画像、第３放射線画像）が取得される。
【００２９】
放射線検出器２００ｃの動作は、次のとおりである。
まず、内部制御部２０２は、第１の撮影領域２２３の一番端に位置するゲート線２１９に所定の信号を送信する。そして、内部制御部２０２は、二次元マトリックス状に配列される光検出素子２０７のうち、一番端に位置するゲート線２１９に接続される１列の光検出素子２０７に蓄積される電荷を読み出す。
次いで、内部制御部２０２は、第２の放射線検出器面２１２の第２の撮影領域２２４の一番端に位置するゲート線２１９に所定の信号を送信する。そして、内部制御部２０２は、一番端に位置するゲート線２１９に接続される１列の光検出素子２０７に蓄積される電荷を読み出す。
次いで、内部制御部２０２は、第３の放射線検出器面２１４の第３の撮影領域２２５の一番端に位置するゲート線２１９に所定の信号を送信する。そして、内部制御部２０２は、一番端に位置するゲート線２１９に接続される１列の光検出素子２０７に蓄積される電荷を読み出す。
次いで、内部制御部２０２は、第１の放射線検出器面２１０の第１の撮影領域２２３の端から２番目に位置するゲート線２１９に所定の信号を送信する。そして、内部制御部２０２は、二次元マトリックス状に配列される光検出素子２０７のうち、端から２番目に位置するゲート線２１９に接続される１列の光検出素子２０７に蓄積される電荷を読み出す。
次いで、内部制御部２０２は、第２の放射線検出器面２１２の第２の撮影領域２２４の端から２番目に位置するゲート線２１９に所定の信号を送信する。そして、内部制御部２０２は、端から２番目に位置するゲート線２１９に接続される１列の光検出素子２０７に蓄積される電荷を読み出す。
次いで、内部制御部２０２は、第３の放射線検出器面２１４の第３の撮影領域２２５の端から２番目に位置するゲート線２１９に所定の信号を送信する。そして、内部制御部２０２は、端から２番目に位置するゲート線２１９に接続される１列の光検出素子２０７に蓄積される電荷を読み出す。
以下、内部制御部２０２は、同様の動作を繰り返す。このように、内部制御部２０２は、二次元マトリックス状に配列される光検出素子２０７の電荷の読み出しを、列ごと（各列で）行う。さらに、内部制御部２０２は、光検出素子２０７からの電荷の読み出しを、第１の撮影領域２２３、第２の撮影領域２２４、第３の撮影領域２２５の順に、１列ごとに周期的に繰り返して行う。
このような処理によって、１つの内部制御部２０２によって、複数の撮影領域２２３，２２４，２２５の光検出素子２０７の電荷を読み出すことができる。また、複数の撮影領域２２３，２２４，２２５からの電荷の読み出しを周期的に行うことによって、複数の撮影領域２２３，２２４，２２５の読み出し開始から終了までの時間差を小さくできる。したがって、高品質なサブトラクション画像を取得できる。
【００３０】
（放射線撮影システム）
本発明の実施形態にかかる放射線撮影システム１について、図２１〜図２３を参照して説明する。
図２１は、本発明の実施形態にかかる放射線撮影システム１の構成を模式的に示すブロック図である。本発明の実施形態にかかる放射線撮影システム１には、前記各実施形態にかかる放射線撮影装置１００ａ，１００ｂ，１００ｃが適用される。
図２１に示すように、放射線撮影システム１は、本発明の実施形態にかかる放射線撮影装置１００ａ，１００ｂ，１００ｃと、放射線管球３０５と、放射線発生装置３０４と、外部制御部３０３と、外部コンソール３００とを有する。外部コンソール３００は、使用者が放射線撮影システム１を操作するために用いられる。たとえば、使用者は、外部コンソール３００を用いて、放射線撮影システム１に撮影指示（撮影オーダー）やその他の指示を入力する。外部コンソール３００には、各種指示などを入力する入力部３０２と、各種の情報を表示する表示部３０２を有する。外部制御部３０３は、使用者による外部コンソール３００からの入力に基づいて、放射線撮影システム１を制御する。たとえば、外部制御部３０３は、放射線画像の撮影や、各部の信号の送受信の制御を行う。また、外部制御部３０３は、放射線管球３０５による放射線の照射と放射線撮影装置１００ａ，１００ｂ，１００ｃによる撮影を同期させる制御や、被写体情報の設定や、撮影した放射線画像の保存の処理などを行う。放射線管球３０５は、放射線撮影システム１の放射線源である。放射線発生装置３０４は、外部制御部３０３による制御に基づいて、放射線管球３０５を駆動する。また、外部制御部３０３と、放射線検出器２００ａ，２００ｂ，２００ｃの内部制御部２０２とは、信号を送受信可能に接続される。
なお、外部制御部３０３と外部コンソール３００と放射線発生装置３０４は、コンピュータを有する。コンピュータは、所定の演算を実行するＣＰＵと、コンピュータプログラム（コンピュータソフトウェア）やその他各種情報を記憶できる記憶装置とを備える。そして、ＣＰＵが記憶装置に記憶されるコンピュータプログラムを読み出して実行することにより、後述の各種処理（動作）が実行される。
【００３１】
図２１の右側上段に示すように、放射線撮影システム１は、放射線撮影装置１００ａ，１００ｂ，１００ｃが撮影台３０６に組み込まれた状態で、放射線画像の撮影を行うことができる。この場合には、放射線検出器２００ａ，２００ｂ，２００ｃは、曲げられた状態で、筺体１０１ａ，１０１ｂ，１０１ｃに収容される。そして、放射線管球３０５は、撮影台３０６に対向して設けられ、撮影台３０６上の被写体Ｐに対して上方から放射線Ｒを照射する。
また、図２１の右側下段に示すように、放射線撮影システム１は、筺体１０１ａ，１０１ｂ，１０１ｃに収容されない放射線検出器２００ａ，２００ｂ，２００ｃを用いて放射線画像の撮影を行うことができる。たとえば、放射線検出器２００ａ，２００ｂ，２００ｃが、曲げられていない状態で、被写体Ｐの背後に配設される。そして、放射線管球３０５は被写体Ｐに向けて放射線Ｒを照射する。このような構成によれば、長尺撮影や一般撮影を行うことができる。
【００３２】
次に、放射線撮影システム１の処理について、図２２と図２３を参照して説明する。図２２は、放射線撮影システム１の放射線検出器の撮影領域判定の処理を示すフローチャートである。放射線検出器２００ａ，２００ｂ，２００ｃは、撮影室３０７内において、さまざまな態様で設置される。そこで、放射線撮影システム１は、放射線検出器２００ａ，２００ｂ，２００ｃの状態を、曲がりセンサと検出器センサ１０７を用いて検出する。そして、放射線撮影システム１は、検出結果に基づいて放射線検出器２００ａ，２００ｂ，２００ｃの撮影領域や駆動方法を切替える。
【００３３】
ステップＳ１０１において、撮影指示があると（外部コンソール３００に撮影オーダーが入力されると）、外部制御部３０３は、撮影処理を開始する。
ステップＳ１０２において、外部制御部３０３は、撮影指示があった撮影の種類をエネルギサブトラクション撮影、一般撮影、長尺撮影のいずれかに分類し、各撮影に応じたステップに進む。
撮影の種類がエネルギサブトラクション撮影に分類された場合にはＳ１０３に進み、一般撮影に分類された場合にはＳ１０7、長尺撮影に分類された場合にはＳ１１７に進む。
ステップＳ１０３（エネルギサブトラクション撮影）においては、内部制御部２０２は、検出器センサ１０７による検出結果に基づいて、放射線検出器２００ａ，２００ｂ，２００ｃが筺体１０１ａ，１０１ｂ，１０１ｃに装着されているか否かを判定する。装着されていると判定された場合には、ステップＳ１０４に進む。
ステップＳ１０４においては、内部制御部２０２は、曲げられている個所を分割領域２１５，２１５ａ，２１５ｂに設定する。そして、内部制御部２０２は、分割領域２１５，２１５ａ，２１５ｂによって分割される複数の撮影領域２２３，２２４，２２５を設定する。そしてステップＳ１０５に進む。
ステップＳ１０５においては、内部制御部２０２は、分割された撮影領域２２３，２２４，２２５ごとに、光検出素子２０７の電荷を読み出す処理を行う。この処理の内容は前記のとおりである。
ステップＳ１０３において、放射線検出器２００ａ，２００ｂ，２００ｃが筺体１０１ａ，１０１ｂ，１０１ｃに装着されていないと判定された場合には、ステップＳ１０６に進む。
ステップＳ１０６においては、外部制御部３０３は、使用者に対して放射線検出器２００ａ，２００ｂ，２００ｃが正常に装着されているか否かの確認を促す処理を実行する。さらに、放射線検出部２３２が曲がっておらず、かつ筺体１０１ａ，１０１ｂ，１０１ｃに装着されている場合は、曲がりセンサにエラーが生じている可能性がある。このため、外部制御部３０３は、装置の確認をするよう警告する。たとえば、外部制御部３０３は、警告音を発する、外部コンソール３００の表示部３０２に警告メッセージを表示する、などの処理を実行する。この際、外部制御部３０３は、放射線管球３０５を駆動しない（放射線を照射しない）。そして、ステップＳ１０３に進み、ステップＳ１０３以下の処理を繰り返す。このような処理によって、撮影ミスの発生を防止できる。
ステップＳ１０７（一般撮影）においては、内部制御部２０２は、放射線検出器２００ａ，２００ｂ，２００ｃが筺体１０１ａ，１０１ｂ，１０１ｃに装着されているか否かを判定する。判定には、検出器センサ１０７による検出結果を用いる。放射線検出器２００ａ，２００ｂ，２００ｃが筺体１０１ａ，１０１ｂ，１０１ｃに装着されていると判定された場合にはステップＳ１０８に進む。装着されていないと判定された場合にはステップＳ１１２に進む。
ステップＳ１０８において、内部制御部２０２は、放射線検出器２００ａ，２００ｂ，２００ｃの曲がりセンサによる検出結果に基づいて、放射線検出器２００ａ，２００ｂ，２００ｃの放射線検出部２３２が曲がっているか否かを判定する。曲がっていると判定された場合にはステップＳ１０９に進み、曲がっていないと判定された場合にはステップＳ１１１に進む。
ステップＳ１０９においては、内部制御部２０２は、曲げられている個所を分割領域２１５，２１５ａ，２１５ｂに設定する。そして、内部制御部２０２は、分割領域２１５，２１５ａ，２１５ｂによって分割される複数の撮影領域２２３，２２４，２２５を設定する。そしてステップＳ１１０に進む。
ステップＳ１１０においては、第１の撮影領域２２３の光検出素子２０７の電荷を読み出す処理を行う。撮影領域２２４，２２５を駆動させないことによって、一般撮影時のディレイ短縮を行うことができる。
ステップＳ１１１においては、外部制御部３０３は、使用者に対して放射線検出器２００ａ，２００ｂ，２００ｃが正常に装着されているか否かの確認を促す処理を実行する。そしてステップＳ１０８に進み、ステップＳ１０８以下の処理を繰り返す。
ステップＳ１１２において、内部制御部２０２は、放射線検出器２００ａ、２００ｂ、２００ｃの曲がりセンサによる検出結果に基づいて、放射線検出器２００ａ、２００ｂ、２００ｃの放射線検出部２３２が曲がっているか否かを判定する。曲がっていると判定された場合にはステップＳ１１４に進み、曲がっていないと判定された場合にはステップＳ１１３に進む。
ステップＳ１１３においては、内部制御部２０２は放射線検出部２３２の撮影領域２０６を複数に分割せず、撮影領域２０６全体の光検出素子２０７の電荷を読み出す処理を行う。
ステップＳ１１４において、使用者に対して現在の放射線検出器２００ａ，２００ｂ，２００ｃのセッティング状態と、曲げられている個所を分割領域として分割された各撮影領域の中で、どの撮影領域の放射線画像を取得するかの確認を促す処理を実行する。使用者が、セッティングと撮影領域が合っていると判断した場合にはステップＳ１１５に進み、合っていないと判断した場合はステップＳ１１６に進む。
ステップＳ１１５において、放射線画像を取得するために選択された撮影領域の光検出素子２０７の電荷を読み出す処理を行う。他の分割された撮影領域を駆動させないことによって、一般撮影時のディレイ短縮を行うことができる。
また、ステップＳ１１６においては、外部制御部３０３は、使用者に対して放射線検出器２００ａ，２００ｂ，２００ｃと、撮影領域の確認を促す処理を実行する。たとえば、外部制御部３０３は、警告音を発するなどの処理を実行する。そして、ステップＳ１１２に進み、ステップＳ１１２以下の処理を繰り返す。
ステップＳ１１７（長尺撮影）において、放射線検出器２００ａ，２００ｂ，２００ｃが長尺撮影専用の筺体に装着されているか否かを判定する。判定には、長尺撮影専用の筺体に配置された検出器センサ１０７による検出結果を用いる。放射線検出器２００ａ，２００ｂ，２００ｃが長尺撮影専用筺体に装着されていると判定された場合にはステップＳ１１８に進む。装着されていないと判定された場合には、ステップＳ１２１に進む。
ステップＳ１１８において、内部制御部２０２は、放射線検出器２００ａ、２００ｂ、２００ｃの曲がりセンサによる検出結果に基づいて、放射線検出器２００ａ、２００ｂ、２００ｃの放射線検出部２３２が曲がっているか否かを判定する。曲がっていると判定された場合にはステップＳ１２０に進み、曲がっていないと判定された場合にはステップＳ１１９に進む。
ステップＳ１１９においては、撮影領域２０６全体の光検出素子２０７の電荷を読み出す処理を行う。
ステップＳ１２０においては、外部制御部３０３は、使用者に対して放射線検出器２００ａ，２００ｂ，２００ｃが正常に装着されているか否かの確認を促す処理を実行する。たとえば、外部制御部３０３は、警告音を発するなどの処理を実行する。そして、ステップＳ１１８に進み、ステップＳ１１８以下の処理を繰り返す。
ステップＳ１２１において、内部制御部２０２は、放射線検出器２００ａ、２００ｂ、２００ｃの曲がりセンサによる検出結果に基づいて、放射線検出器２００ａ、２００ｂ、２００ｃの放射線検出部２３２が曲がっているか否かを判定する。曲がっていると判定された場合にはステップＳ１２３に進み、曲がっていないと判定された場合にはステップＳ１２２に進む。
ステップＳ１２２においては、内部制御部２０２は放射線検出部２３２の撮影領域２０６を複数に分割せず、撮影領域２０６全体の光検出素子２０７の電荷を読み出す処理を行う。
また、ステップＳ１２３においては、外部制御部３０３は、使用者に対して放射線検出器２００ａ、２００ｂ、２００ｃの確認を促す処理を実行する。たとえば、外部制御部３０３は、警告音を発するなどの処理を実行する。そして、ステップＳ１２１に進み、ステップＳ１２１以下の処理を繰り返す。
このように、外部制御部３０３は、撮影の種類を分類し、曲がりセンサの検出結果と検出器センサ１０７の検出結果に基づいて、放射線検出部２３２の撮影領域を判定し、駆動方法を切替える。
【００３４】
次に、放射線画像を撮影する処理の内容について、図２３を参照して説明する。図２３は、放射線画像を撮影する処理の内容を示すフローチャートである。
ステップＳ２０１において、撮影指示があると（外部コンソール３００に撮影オーダーが入力されると）、外部制御部３０３は、撮影処理を開始する。
ステップＳ２０２においては、外部制御部３０３は、使用者の操作に応じて、被写体情報や撮影セッティングの確認を行う。
ステップＳ２０３においては、外部制御部３０３は、予め登録された最適撮影状態データと使用者により設定された撮影条件と、撮影セッティングとを照合し、使用者による撮影条件の設定と撮影セッティングが適切かどうかを判定する。最適撮影状態データには以下のデータが含まれる。（ａ）放射線検出器２００ａ，２００ｂ，２００ｃの状態。（ｂ）放射線撮影装置１００ａ，１００ｂ，１００ｃの設置場所。（ｃ）フィルタ１１０，１２２の最適条件。（ｄ）放射線Ｒの最適な照射条件。（ｄ）バッテリ２０４の最適残量。これらの最適撮影状態データは、各撮影条件に対応して登録されている。照合の結果、撮影条件の設定または、撮影セッティングが適切ではないと判定された場合には、ステップＳ２０９に進む。設定が適切であると判定された場合にはステップＳ２０４に進む。
ステップＳ２０９においては、外部制御部３０３は、表示部３０２に、設定が適切ではなく、設定をやり直すように促す警告を表示する。この際、外部制御部３０３は、放射線管球３０５を駆動しない（放射線を照射しない）。そして、ステップＳ２０２に進む。ここで、表示部３０２は、設定された項目のいずれが適切でないかを表示する。
外部制御部３０３は、記憶装置を有するコンピュータである。そして、最適撮影状態データは、コンピュータの記憶装置にあらかじめ登録（格納）されている。そして、外部制御部３０３は、記憶装置に登録されている最適撮影状態データを読み出し、外部コンソール３００から入力された撮影条件と照合する。
ステップＳ２０４においては、内部制御部２０２は、放射線検出器２００ａ，２００ｂ，２００ｃの撮影領域の判定と駆動方法を設定する。撮影領域の判定と駆動方法を設定する処理は図２２のステップＳ１０２からＳ１２３で説明している。そしてステップＳ２０５に進む。
ステップＳ２０５においては、外部制御部３０３は、放射線発生装置３０４を介して放射線管球３０５を作動させて、被写体Ｐに放射線Ｒを照射する。そしてステップＳ２０６に進む。
ステップＳ２０６においては、内部制御部２０２は、放射線画像を取得する。撮影指示がエネルギサブトラクション法による撮影である場合には、内部制御部２０２は、撮影領域の判定に基づいて、分割された撮影領域２２３，２２４，２２５ごと（ステップＳ１０５）に放射線画像を取得する。撮影指示が一般撮影の場合には、撮影領域の判定に基づいて、第１の撮影領域２２３のみ（ステップＳ１１０）または、撮影領域２０６全面（ステップＳ１１3）または、選択された撮影領域のみ（ステップＳ１１５）で放射線画像を取得する。また、撮影指示が長尺撮影の場合には、撮影領域の判定に基づいて、撮影領域全面（ステップＳ１１９、Ｓ１２２）で放射線画像を取得する。そしてステップＳ２０７に進む。
ステップＳ２０７においては、内部制御部２０２は、撮影条件に応じた画像処理を実行する。たとえば、エネルギサブトラクション法による撮影の場合には、内部制御部２０２は、マーカ１０６による複数の放射線画像の拡大率やずれの検出と補正、ノイズ低減処理、階調処理、鮮鋭化処理、サブトラクション処理などを実行する。一般撮影または長尺撮影のときは、内部制御部２０２は、ノイズ低減処理、階調処理、鮮鋭化処理等の高画質化処理を実行する。そして、ステップＳ２０８に進む。
ステップＳ２０８においては、内部制御部２０２は、画像処理を施した放射線画像を外部コンソール３００の表示部３０２で表示し、外部制御部３０３に保存する。
以上のステップを経て、放射線画像の撮影の処理が終了する。このような処理によれば、使用者による設定ミスや再撮影を防止し、撮影指示に対して適切な撮影を実行できる。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードする方法であってもよい。
【産業上の利用可能性】
【００３６】
本発明は、放射線撮影装置と、この放射線撮影装置が適用された放射線撮影システムに好適である。そして、本発明によれば、エネルギサブトラクション撮影と、一般撮影と、長尺撮影とを、可撓性を有する共通の放射線検出器を用いて行うことができる。
【符号の説明】
【００３７】
１００ａ，１００ｂ，１００ｃ：放射線撮影装置、１０１ａ，１０１ｂ，１０１ｃ：筺体、１０２：放射線入射面、１０３ａ，１０３ｂ，１０３ｃ，１０３ｄ，１０３ｅ，１０３ｆ，１０３ｇ：保護部材、１０４：検出器固定部、１０５：制御部固定具、１０６：マーカ、１０７：検出器センサ、１０８ａ，１３１，１３２：フィルタケース、１０９：フィルタ検出部、１１０，１２２：フィルタ、１１１：フィルタ蓋、１１２：検出器蓋、１１３：ヒンジ部、１１４：着脱ガイド、１１５：有効撮影領域、１１６：通知部、１１７，２２１，２２２：コネクタ、２０２：内部制御部、１１９：ケーブル、１２０：放射線遮蔽部材、１２１：着脱スライダ、２００ａ，２００ｂ，２００ｃ：放射線検出器、２０１：駆動制御部、２０３：通信部、２０４：バッテリ、２０５：コネクタ、２０６，２２３，２２４，２２５：撮影領域、２０７：光検出素子、２０８：ダミー撮影領域、２０９：第１の放射線入射面、２１０：第１の放射線検出器面、２１１：第２の放射線入射面、２１２：第２の放射線検出器面、２１３：第３の放射線入射面、２１４：第３の放射線検出器面、２１５，２１５ａ，２１５ｂ：分割領域、２１６：シンチレータ層、２１７：光検出素子配線層、２１８：基体、２１９：ゲート線、２２０：信号線、２３２：放射線検出部、３００：外部コンソール、３０１：入力部、３０２：表示部、３０３：外部制御部、３０４：放射線発生装置、３０５：放射線管球、３０６：撮影台、３０７：撮影室、Ｒ：放射線、Ｐ：被写体
【図１】
2013253887.tif 000003
【図２】
2013253887.tif 000004
【図３】
2013253887.tif 000005
【図４】
2013253887.tif 000006
【図５】
2013253887.tif 000007
【図６】
2013253887.tif 000008
【図７】
2013253887.tif 000009
【図８】
2013253887.tif 000010
【図９】
2013253887.tif 000011
【図１０】
2013253887.tif 000012
【図１１】
2013253887.tif 000013
【図１２】
2013253887.tif 000014
【図１３】
2013253887.tif 000015
【図１４】
2013253887.tif 000016
【図１５】
2013253887.tif 000017
【図１６】
2013253887.tif 000018
【図１７】
2013253887.tif 000019
【図１８】
2013253887.tif 000020
【図１９】
2013253887.tif 000021
【図２０】
2013253887.tif 000022
【図２１】
2013253887.tif 000023
【図２２】
2013253887.tif 000024
【図２３】
2013253887.tif 000025